(57)【特許請求の範囲】
【請求項１】
シリアルインタフェースにより接続したデータ端末装置の動作を、データ回線終端装置において監視するデータ端末装置の動作監視装置において、
データ端末装置のＥＲ信号を、データ回線終端装置のコネクタ部分で折り返してデータ端末装置のＤＲとＣＤとに接続させると共に、該ＥＲ信号の否定とＳＤ信号との論理和を、データ端末装置の動作監視のための制御信号に利用したことを特徴とするデータ端末装置の動作監視装置。
【請求項２】
前記シリアルインタフェースが、ＲＳ−２３２Ｃであることを特徴とする請求項１に記載のデータ端末装置の動作監視装置。
【請求項３】
前記シリアルインタフェースが、ＲＳ−５３０であることを特徴とする請求項１に記載のデータ端末装置の動作監視装置。
【請求項４】
前記シリアルインタフェースが、ＲＳ−５７４であることを特徴とする請求項１に記載のデータ端末装置の動作監視装置。
【請求項５】
前記シリアルインタフェースが、ＲＳ−５６１であることを特徴とする請求項１に記載のデータ端末装置の動作監視装置。
【発明の詳細な説明】
【０００１】
【発明の属する技術分野】
この発明は、モデムなどのデータ回線終端装置によりデータ端末装置の動作状況を監視するデータ端末装置の動作監視装置に関し、より詳しくは、データ端末装置の動作停止あるいはＲＳ−２３３Ｃインタフェースのコネクタ抜けなどの検出を行う監視装置に関する。
【０００２】
【従来の技術】
モデムなどのデータ回線終端装置が所定の処理を行うためには、パソコンなどのデータ端末装置の動作や、これらを接続するＲＳ−２３２Ｃインタフェースのコネクタの接続状態などを確認する必要がある。データ回線終端装置がデータ端末装置の動作状況を認識するためには、例えばＥＩＡ（米国電子工業会）／ＴＩＡ２３２に開示されているように、ＥＲ（データ端末レディ：ＪＩＳ表示、以下同じ）信号を監視することが行われている。
【０００３】
近年では、各種周辺装置の小型化の要求から、ＲＳ−２３２Ｃのインタフェースにおける信号を必要最小限に削減し、通信装置の回路規模を小さくすることが要請されている。この要請に応じるために、データ回線終端装置１とデータ端末装置２とをＲＳ−２３２Ｃインタフェース３で接続した場合に、図３に示すように、ＥＲ信号はデータ回線終端装置１のコネクタ部分でＤＲ（データセットレディ）とＣＤ（データチャネル受信キャリア検出）とに折り返し接続させ、ＳＤ（送信データ）とＲＤ（受信データ）、ＲＳ（送信要求）、ＣＳ（通信可）、ＥＲの５つの信号を利用してフロー制御を用いたデータ通信を実現させている。なお、表示ＳＧは信号用接地である。また、データ回線終端装置１における符号４はＣＰＵである。
【０００４】
【発明が解決しようとする課題】
前述したように、従来の通信装置では、５つの信号を取り扱っており、データ端末装置の動作監視はＥＲ信号を監視することにより行っていた。しかしながら、依然として回路規模の小型化が要求されている。
【０００５】
そこで、この発明は、回路規模の小型化の要求に応えるために、ＳＤとＲＤ、ＲＳ、ＣＳの４つの信号を利用してフロー制御を用いたデータ通信を実現させて、インタフェースの信号を必要最小限に削減し、通信装置の回路規模を小さくすることを目的としている。
【０００６】
【課題を解決するための手段】
前記の目的を達成するための技術的手段として、この発明に係るデータ端末装置の動作監視装置は、シリアルインタフェースにより接続したデータ端末装置の動作を、データ回線終端装置において監視するデータ端末装置の動作監視装置において、データ端末装置のＥＲ信号を、データ回線終端装置のコネクタ部分で折り返してデータ端末装置のＤＲとＣＤとに接続させると共に、該ＥＲ信号の否定とＳＤ信号との論理和を、データ端末装置の動作監視のための制御信号に利用したことを特徴としている。
【０００７】
ＥＲ信号は、インタフェースのコネクタが接続されており、データ端末装置が動作状態でプラス電圧（ＯＮ）を出力するから、その否定が前記論理和の論理回路に入力されている。この状態で前記ＳＤからデータが送出されると、このＳＤ信号がＣＰＵに入力されて、データの送信が行われる。
【０００８】
データ端末装置が動作停止の状態にある場合、あるいは前記コネクタが接続されていない状態では、ＥＲ信号はマイナス電圧（ＯＦＦ）を出力し、ＳＤ信号はデータが送出されない場合にはマイナス電圧（マーク）を出力するから、前記ＥＲ信号の否定とＳＤとの論理和はプラス電圧（ＯＮ）となる。したがって、データ回線終端装置のＣＰＵは、この論理和の信号が所定時間ＯＮを継続した場合には、データ端末装置が停止状態にあるか、インタフェースのコネクタが接続されていない状態にあることが検出される。
【０００９】
すなわち、データ回線終端装置では４本の信号線でフロー制御を含むデータ通信と、データ端末装置の動作状態を監視できる。
【００１０】
また、請求項２の発明に係るデータ端末装置の動作監視装置は、前記シリアルインタフェースが、ＲＳ−２３２Ｃであることを特徴としている。
【００１１】
さらに、この監視装置は、ＲＳ−２３２Ｃシリアルインタフェース以外の規格であっても実現することができ、このため、請求項３と請求項４、請求項５の発明に係るデータ端末装置の動作監視装置は、それぞれ、前記シリアルインタフェースが、ＲＳ−５３０であることを、前記シリアルインタフェースが、ＲＳ−５７４であることを、前記シリアルインタフェースが、ＲＳ−５６１であることを、特徴としている。
【００１２】
【発明の実施の形態】
以下、図示した好ましい実施の形態に基づいて、この発明に係るデータ端末装置の動作監視装置を具体的に説明する。なお、この実施形態では、ＲＳ−２３２Ｃインタフェースについて例示して説明する。
【００１３】
モデムなどのデータ回線終端装置（ＤＣＥ）11とパソコンなどのデータ端末装置（ＤＴＥ）12とが、ＲＳ−２３２Ｃシリアルインタフェース13で接続されている。データ端末装置12のＥＲ信号はデータ回線終端装置11のコネクタ接続部分で折り返されて、データ回線終端装置11のＤＲとＣＤとに接続されている。また、前記ＥＲ信号は前記折り返しから分岐して、ＮＯＴゲート14に接続され、その出力はＯＲゲート15に入力されている。
【００１４】
前記ＯＲゲート15には、データ端末装置２のＳＤが入力されて、前記ＮＯＴゲート14との出力との論理和がＣＰＵ16に入力されている。また、ＣＰＵ16には、ＲＤとＲＳ、ＣＳとが入力されている。なお、ＲＳ−２３２Ｃインタフェースの信号をＣＰＵ16に接続する場合には、ラインドライバ／レシーバが使用される。
【００１５】
以上により構成されたデータ端末装置の動作監視装置の作用を、以下に説明する。
【００１６】
データ端末装置12が動作を開始するとＥＲ信号がプラス電圧となり、その否定（ＮＯＴゲート14の出力）がＯＲゲート15に入力される。このＯＲゲート15にはデータ端末装置12のＳＤ信号が入力されており、送信データが出力されない状態ではこのＳＤ信号はマイナス電圧を出力しているから、ＯＲゲート15の出力はＯＦＦとなってＣＰＵ16に送出されている。この状態で、データが送信されると、ＳＤ信号がＣＰＵ16に入力されて、データ送信が行われる。すなわち、ＣＰＵ16は、ＳＤとＲＤ、ＲＳ、ＣＳとの各信号によりフロー制御が行われて、データ回線終端装置11によりデータ通信をが実現される。
【００１７】
他方、データ端末装置12が動作を停止したり、インタフェースのコネクタが抜けてしまった場合には、ＥＲ信号がマイナス電圧となる。この信号がＮＯＴゲート14で否定されてＯＲゲート15に入力されると、該ＯＲゲート15の出力はＯＮとなっってＣＰＵ16に入力される。したがって、このＯＲゲート15の出力のＯＮが継続される場合には、データ端末装置12の動作停止あるいはコネクタの脱落が生じていると判断される。
【００１８】
この判断は、例えば、図２のフローチャートに示す手順によって実行される。ＯＲゲート15の出力（論理和）がＯＮ（ステップ 201／ＯＮ）である場合には、タイマがカウントを開始し（ステップ 202 ）、タイマのカウントアウトを監視する（ステップ 203）。タイマがカウントアウトされていない場合には（ステップ 203／ＮＯ）、ステップ 201に戻ってＯＲゲート15の出力を判定する。ＯＲゲート15の出力がＯＦＦであれば、タイマをリセットして（ステップ 204）、ＯＲゲート15の出力の判定（ステップ 201）が繰り返される。ＯＲゲート15の出力のＯＮが継続されてタイマがカウントアウトした場合には（ステップ 203／ＹＥＳ）、データ回線終端装置11は動作を終了する。
【００１９】
以上説明した実施形態では、シリアルインタフェースとしてＲＳ−２３２Ｃを例示したが、その他ＲＳ−５３０やＲＳ−５７４、ＲＳ−５６１はＲＳ−２３２Ｃと同様の動作を行うことが周知であり、これらのインタフェースにも本発明を利用することができる。
【００２０】
【発明の効果】
以上説明したように、この発明に係るデータ端末装置の動作監視装置によれば、ＥＲ信号の否定とＳＤ信号との論理和をＣＰＵに入力させ、この論理和を監視するから、データ回線終端装置ではＳＤとＲＤ、ＲＳ、ＣＳの４本の信号線によってフロー制御を行ってデータ通信を行えるとともに、データ端末装置の動作状況などの監視を行える。したがって、回路規模を縮小でき、データ回線終端装置の小型化を図ることができる。
【図面の簡単な説明】
【図１】この発明のデータ端末装置の動作監視装置の実施形態について、構造の概略を説明する接続構成図である。
【図２】データ端末装置の動作監視の手順を説明するフローチャートである。
【図３】従来のデータ端末装置の動作監視装置について、構造の概略を説明する接続構成図である。
【符号の説明】
11  データ回線終端装置（ＤＣＥ）
12  データ端末装置（ＤＴＥ）
13  ＲＳ−２３２Ｃシリアルインタフェース
14  ＮＯＴゲート
15  ＯＲゲート
16  ＣＰＵ
【図１】
0003761441.tif 000002
【図２】
0003761441.tif 000003
【図３】
0003761441.tif 000004